(57)【特許請求の範囲】
【請求項１】
見込み方向屋外側に位置して、建物の開口部に設けた建具枠と外壁材との間に四周に亘ってシール材を介設すると共に、
見込み方向屋内側に位置して、前記開口部に設けた建具支持材に、建具枠をそのフランジ部を押し当てて固定した後、当該建具枠の四周に亘って前記フランジ部と前記建具支持材とを跨ぐようにシールテープを貼着することで、
前記建具枠を前記開口部に水密に設置する建具枠の設置構造において、
前記シールテープは、前記建具支持材の上部と前記建具枠の上部とを跨ぐように貼着され、前記四周のうちの上辺を構成する上テープ片を有し、
前記上テープ片を、その下端が、前記シール材の前記上テープ片に対応する部分のシール切れにより前記建具枠の上面に貯留するであろう雨水の想定最高水位より、上側に位置するように貼着したことを特徴とする建具枠の設置構造。
【請求項２】
見込み方向屋外側に位置して、建物の開口部に設けた建具枠と外壁材との間に四周に亘ってシール材を介設すると共に、
見込み方向屋内側に位置して、前記開口部に設けた建具支持材に、建具枠をそのフランジ部を押し当てて固定した後、当該建具枠の四周に亘って前記フランジ部と前記建具支持材とを跨ぐようにシールテープを貼着することで、
前記建具枠を前記開口部に水密に設置する建具枠の設置構造において、
前記シールテープは、前記建具支持材の上部と前記建具枠の上部とを跨ぐように貼着され、前記四周のうちの上辺を構成する上テープ片を有し、
前記上テープ片を、その下端が、前記シール材の前記上テープ片に対応する部分の上端より、上側に位置するように貼着したことを特徴とする建具枠の設置構造。
【請求項３】
前記建具枠の上部および／または前記建具支持材の上部に、前記上テープ片の上下方向の貼着位置の目安となるマークを設けたことを特徴とする請求項１または２に記載の建具枠の設置構造。
【請求項４】
請求項３に記載の建具枠の設置構造に用いられる建具枠であって、
前記マークは、上枠に設けられ且つ前記上テープ片の貼着下端位置を指標することを特徴とする建具枠。
【請求項５】
前記マークは、前記フランジ部の表面に形成した凹部または凸部であることを特徴とする請求項４に記載の建具枠。
【請求項６】
前記マークは、前記フランジ部の長手方向に連続して設けられていることを特徴とする請求項４または５に記載の建具枠。
【請求項７】
前記上枠には、前記マークが貼着される前記シールテープの貼着下端位置を指標している旨の表示が付されていることを特徴とする請求項４ないし６のいずれかに記載の建具枠。
【発明の詳細な説明】
【０００１】
【発明の属する技術分野】
本発明は、建物の開口部に設置される窓やドア等の枠体である建具枠の設置構造および建具枠に関する。
【０００２】
【従来の技術】
図５および図６は、従来の引違い窓における窓枠（建具枠）の設置構造を表している。この窓枠５１では、上枠５２、下枠および両縦枠５３がいわゆる縦枠通しで四周枠組みされており、各構成枠の外周部に形成されたフランジ部５４を、建物の開口部に設けた建具支持材（窓まぐさや窓台等）に釘止めした後、窓枠５１の四周に亘ってフランジ部５４と建具支持材とを跨ぐようにシールテープ５５を貼着することで、窓枠５１が建具支持材に水密に固定されている。また、窓枠５１の外周面と開口部に臨む外壁材５６との間隙には、屋外に面してコーキング材等のシール材５７が充填されている。これにより、見込み方向において窓枠５１は、シール材５７により外壁材５６との間でシールされると共に、シールテープ５５により建具支持材との間でシールされている。
なお、両図は、上枠５２の上面において、シール材５７が劣化してシール切れになった状態を表している。上枠５２の上面のシール材５７は、直射日光に晒されて劣化し易いため、経年変化で、シール材５７と外壁材５６との間に隙間が生じ、いわゆるシール切れとなることがある。このようなシール切れによる最悪の状態を想定すると、この部分から吹き込んだ雨水は、幾分かは上枠５２の両端から縦枠５３に流下するが、シール材５７を堰として上枠５２の上側に貯留することが考えられる。
【０００３】
【発明が解決しようとする課題】
ところで、窓枠５１を縦枠通しで枠組みする場合、縦材５３の上端部内側面と上枠５２の小口端（下枠も同様）との間には、シール用にシーラー５８を介在させるようにしている。この場合、上枠５２の小口端に対し、シーラー５８を一回り大きく形成し、シーラー５８が確実に挟み込まれるようにしている。このように、シーラー５８を介在させた状態で枠組みされた窓枠５１では、例えばフランジ部５４における縦枠５３と上枠５２との接合部分を面一になるように構成しても、挟み込まれたシーラー５８の縁がわずかに突出する。このため、シールテープ５５はシーラー５８の部分が盛り上がった状態で貼着される。すなわち、わずかに突出したシーラー５８により、シールテープ５５の内側に上下方向に延びる２箇所の断面三角形の隙間５９が生ずる。
一方、図示の如くシールテープ５５は、縦枠５３の端部の切欠き部やフランジ部５４の基部を目安に貼着されるため、上記のように上枠５２の上面に雨水が貯留すると、シールテープ５５の下端部は雨水に浸漬されることになる（図６参照）。シールテープ５５の下端部が雨水に浸漬されると、風圧力や毛細管現象の作用により、上記の三角形の間隙５９から雨水が侵入して上昇し、フランジ部５４を乗り越えて屋内側に漏水するおそれがあった。すなわち、シールテープ５５は、その貼着形態によっては、漏水の原因になるおそれがある。
【０００４】
本発明は、シールテープの内側に形成される間隙からの屋内側への漏水を、有効に防止することができる建具枠の設置構造および建具枠を提供することをその目的としている。
【０００５】
【課題を解決するための手段】
本発明の建具枠の設置構造は、見込み方向屋外側に位置して、建物の開口部に設けた建具枠と外壁材との間に四周に亘ってシール材を介設すると共に、見込み方向屋内側に位置して、開口部に設けた建具支持材に、建具枠をそのフランジ部を押し当てて固定した後、建具枠の四周に亘ってフランジ部と建具支持材とを跨ぐようにシールテープを貼着することで、建具枠を開口部に水密に設置する建具枠の設置構造において、シールテープは、建具支持材の上部と建具枠の上部とを跨ぐように貼着され、四周のうちの上辺を構成する上テープ片を有し、上テープ片を、その下端が、シール材の上テープ片に対応する部分のシール切れにより  建具枠の上面に貯留するであろう雨水の想定最高水位より、上側に位置するように貼着したことを特徴とする。
【０００６】
また、本発明の他の建具枠の設置構造は、見込み方向屋外側に位置して、建物の開口部に設けた建具枠と外壁材との間に四周に亘ってシール材を介設すると共に、見込み方向屋内側に位置して、開口部に設けた建具支持材に、建具枠をそのフランジ部を押し当てて固定した後、建具枠の四周に亘ってフランジ部と建具支持材とを跨ぐようにシールテープを貼着することで、建具枠を開口部に水密に設置する建具枠の設置構造において、シールテープは、建具支持材の上部と建具枠の上部とを跨ぐように貼着され、四周のうちの上辺を構成する上テープ片を有し、上テープ片を、その下端が、シール材の上テープ片に対応する部分  の上端より、上側に位置するように貼着したことを特徴とする。
【０００７】
これらの構成によれば、上テープ片の下端が、上枠の上面に貯留する雨水の想定最高水位より上側に位置するように、或いは外壁材との間に介設したシール材の上端より上側に位置するように、貼着されているため、シール切れにより上枠の上面に雨水が貯留することがあっても、上テープ片の下端が雨水に浸漬されることがない。このため、例えば上枠と縦枠との接合部分に介設したシーラー等により、貼着したシールテープの内側に、毛細管現象が生ずるような間隙が生じても、雨水がこの間隙を介して吸い上げられることがない。
【０００８】
これらの場合、建具枠の上部および／または建具支持材の上部に、上テープ片の上下方向の貼着位置の目安となるマークを設けることが、好ましい。
【０００９】
この構成によれば、予め想定される貯留雨水の水位より、上側になるようにマークを設けることで、シールテープの現場施工において、作業者がシールテープを適切な貼着位置に誤りなく貼着することができる。
【００１０】
本発明の建具枠は、上記した建具枠の設置構造に用いられる建具枠であって、マークは、上枠に設けられ且つ上テープ片の貼着下端位置を指標することを特徴とする。
【００１１】
この構成によれば、上枠に、貼着されるシールテープの下端位置を指標するマークを設けることにより、作業者はこのマークを目安にシールテープを貼着する。これにより、建具設置者側の意図に添うようにシールテープが貼着されることになる。
【００１５】
これらの場合、マークは、フランジ部の表面に形成した凹部または凸部であることが、好ましい。
【００１６】
この構成によれば、書き込んだもののように消えてしまうおそれがない。また、上枠が形材で構成される場合には、マークを予め上枠のフランジ部に作り込んでおくことができる。
【００１７】
これらの場合、マークは、フランジ部の長手方向に連続して設けられていることが、好ましい。
【００１８】
この構成によれば、マークを、けがき線や墨出し線と同様に、これを基準としてシールテープを簡単に貼着することができる。
【００１９】
これらの場合、上枠には、マークが貼着されるシールテープの貼着下端位置を指標している旨の表示が付されていることが、好ましい。
【００２０】
この構成によれば、作業者に対し、マークがシールテープの貼着位置を示すものであることを明確に伝えることができるため、シールテープのマークを無視した貼着や誤った位置への貼着を、有効に防止することができる。
【００２１】
【発明の実施の形態】
以下、添付図面を参照して、本発明の一実施形態に係る建具枠の設置構造および建具枠を、引違い窓に適用した場合について説明する。図１の縦断面図に示すように、この引違い窓１は、建物の開口部Ａに装着した窓枠２と、窓枠２に開閉自在に装着した外障子３ａおよび内障子３ｂから成る障子３と、障子３の屋外側において窓枠２に開閉自在に装着した網戸４とで構成されている。建物の開口部Ａは、左右の支柱（図示省略）間に窓まぐさＢａおよび窓台Ｂｂが掛け渡され、方形に開口した窓枠支持材（建具支持材）Ｂが構成されている。この場合、窓枠２の外周部にはフランジ部６が形成され、このフランジ部６を屋外側から窓枠支持材Ｂに押し当てて固定することで、引違い窓１が開口部Ａに設置されるようになっている。
【００２２】
そして、上記のフランジ部６と窓枠支持材Ｂとに跨ってシールテープ７が貼着され、窓枠２と窓枠支持材Ｂとの間のシールが為されている。また、見込み方向において窓枠支持材Ｂの屋外側には、間隙を存して外壁材Ｃが配設され、この開口部Ｂに臨む外壁材Ｃと窓枠２との間隙には、四周に亘ってコーキング材（正確にはコーキング材とバックアップ材とから成る）などから成るシール材８が充填（介設）されている。このように、シール材８とシールテープ７とにより、窓枠２が建物の開口部Ａに対して、２重にシールされている。
【００２３】
窓枠２は、それぞれがアルミニウムの形材で形成された上枠１１、下枠１２および左右の縦枠１３を四周枠組みして、構成されている。この場合、図２に上枠１１廻りのみ示すが、上枠１１および下枠１２に対し左右の縦枠１３は、いわゆる縦通し（縦枠通し）で枠組みされている。より具体的には、例えば、上枠１１の部分では、上枠１１の小口端の断面形状に対し一回り大きく（幅広）形成したシーラー（ゴムシーラー）１５を、上枠１１の小口端とこれに対応する縦枠１３の上端部内側面との間に介在させて、上枠１１と縦枠１３とをビス止めで接合されている。また、図示しないが、下枠１２も縦枠１３と同様の形態で枠組みされている。
【００２４】
一方、上枠１１、下枠１２および各縦枠１３には、それぞれ枠本体１１ａ，１２ａ，１３ａの外周部にフランジ片１１ｂ，１２ｂ，１３ｂが形成され、上枠１１、下枠１２および両縦枠１３を枠組みした状態では、これらフランジ片１１ｂ，１２ｂ，１３ｂが連続して上記のフランジ部６を構成している。そして、この各フランジ片（フランジ部６）１１ｂ，１２ｂ，１３ｂを適宜、窓枠支持材Ｂに釘止め或いはビス止めすることで、窓枠（引違い窓１）２が窓枠支持材（開口部Ａ）Ｂに固定される。さらに、窓枠２を窓枠支持材Ｂに固定した後、窓枠２の四周に亘って、フランジ部６と窓枠支持材Ｂとに跨るように、上テープ片１７、下テープ片１８および両縦テープ片（図示では省略）から成るシールテープ７を貼着するようにしている。
【００２５】
ところで、上述したように、上枠１１の小口端の断面形状に対し一回り大きく形成したシーラー１５は、その端部が、上枠１１と縦枠１３の接合部分（突当て部分）からわずかに突出することになる（図２および図３参照）。また、四周連続したフランジ部６を構成すべく、各縦枠１３の上端部は上枠１１の断面形状に合わせて切り欠くが、この切欠き部１４は、図示しないが、フランジ片１３ｂ側の凸部分をわずかに残す場合もある。かかる場合には、図４に示すように、上枠１１の部分に水平に貼着したシールテープ７の上テープ片１７は、上記のシーラー１５や凸部分により一部が盛り上がった（浮いた）状態で貼着される。
【００２６】
すると、上テープ片１７のシーラー１５や凸部分により浮いた部位には、その内側に断面三角形の一対の間隙１９，１９が生ずる。すなわち、縦枠１３および上枠１１の接合部分と、上テープ片１７との間に、シーラー１５等により上下方向に延びる間隙１９が生ずる。この間隙１９は後述するが、毛細管現象に基づく漏水の原因となるため、これを防止すべく本実施形態では、シールテープ７の貼着形態を工夫している。
【００２７】
ここで、図２および図３を参照して、上枠１１廻りにおけるシールテープ（上テープ片１７）７の貼着形態について、詳細に説明する。両図は、シール材（コーキング材）８が劣化して、シール材８と外壁材Ｃとの間に隙間Ｓが生じた状態（シール切れ）を表している。シール材８と外壁材Ｃとの間に隙間Ｓが生ずると、この隙間Ｓから雨水が吹き込む。もちろん、吹き込んだ雨水は、上枠１１の左右両端から縦枠１３側に流れるが、最悪の状態では、シール材８が堰となって上枠１１の上面に雨水が貯留する。この貯留した雨水にシールテープ（上テープ片１７）７の下端部が浸漬していると、上記の間隙１９から毛細管現象により雨水が吸い上げられ、更に風圧力などが作用すると、屋内側に雨水が漏水することになる。
【００２８】
そこで、瞬間的に貯留される雨水の想定最高水位Ｌを見越し、実施形態では、この最高水位Ｌより、下端が上側となるようにシールテープ７を貼着するようにしている。この場合、想定最高水位Ｌは、上枠１１の左右両端から雨水が流下し易い窓枠２では、図３におけるシール材８の上端より低い位置となる場合も想定される。したがって、安全を考慮するならば、シールテープ（上テープ片１７）７の下端が、シール材の上端より上側に位置するように、好ましくは十分に上側に位置するように、シールテープ７を貼着するようにしてもよい。
【００２９】
シールテープ７の貼着は、現場の作業者に委ねられているため、上テープ片１７が正確に貼着されるように、上枠１１のフランジ片１１ｂには、上テープ片１７の貼着下端位置を示すマーク２１が設けられている。また、上枠１１の左右の両端部（片側の端部でも可）には、このマーク２１がシールテープ７の貼着下端位置を示す旨の記載を印刷した注意書きシール２２が貼着されている。より具体的には、マーク２１は、押出し形材である上枠１１に作り込んだ凹条部或いは凸条部であることが、好ましい。もちろん、マーク２１をフランジ片１１ｂに記載した直線やけがき線、或いはシール形式で貼着する形態のものでもよい。また、マーク２１は、必ずしも連続する線で表す必要はなく、例えば上記の注意書きシール２２に記載した指示線２２ａに、マーク２１を兼ねさせることも可能である。
一方、注意書きシール２２は、剥離紙付きのテープ等から引き剥がして貼着する形態のものが、好ましい。もちろん、注意書きシール２２を縦枠１３の上端部に貼っておくようにしてもよい。
【００３０】
いずれにしても、シールテープ（上テープ片１７）７の貼着下端位置は、シール材（コーキング材）８の高さ寸法や、上枠１１の傾斜の程度等により微妙に異なることが予想される。したがって、製品個々において実験等によりその高さ位置（フランジ片１１ｂの基端からの高さ位置）を求めて、設定するようにする。一般的には、貯留される雨水の想定最高水位Ｌが１０ｍｍ〜１３ｍｍ程度と予想されるため、シールテープ７の貼着下端位置は、これを越える寸法となる。
【００３１】
以上のように、本実施形態によれば、シール切れにより上枠１１の上面に雨水が貯留することがあっても、貯留した雨水にシールテープ７の下端部が浸漬することがないため、たとえシールテープ７が、その内側に間隙１９が生ずるように貼着されても、毛細管現象による雨水の吸い上げを、構造的に防止することができる。したがって、貼着したシールテープ７に基づく屋内側への漏水を、簡単な構成により防止することができる。
【００３２】
なお、上記のマーク２１は、シールテープ７の貼着下端位置或いは貼着上端位置を示す墨出し線として、窓枠支持材Ｂに書き込んでもよい。また、本発明は、引違い窓に限らず、屋外に面する建物の開口部に設置される各種の窓やドア等の枠体に適用できることは、いうまでもない。
【００３３】
【発明の効果】
以上のように本発明の建具枠の設置構造によれば、上テープ片の下端が、雨水の想定最高水位、或いはシール材の上端より上側に位置するように貼着され、毛細管現象による雨水の吸い上げを防止することができるため、シールテープの貼着形態に基づく屋内側への漏水を、有効に防止することができる。
【００３４】
また、本発明の建具枠によれば、上枠に設けたマークにより、現場の作業者にシールテープの貼着下端位置を指示することができるため、例えば上枠部分に貼着されるシールテープの下端位置を、雨水の想定最高水位やシール材の上端より、上側に位置するように貼着させることが可能となる。これにより、シールテープの貼着形態に基づく屋内側への漏水を、有効に防止することができる。
【図面の簡単な説明】
【図１】本発明の第１実施形態に係る窓枠を備えた引違い窓の縦断面図である。
【図２】第１実施形態に係る窓枠の上枠廻りの構造を表した斜視図である。
【図３】第１実施形態に係る窓枠の上枠廻りの拡大縦断面図である。
【図４】上枠のフランジ片と縦枠のフランジ片との接合部分の拡大横断面図である。
【図５】従来技術に係る窓枠の上枠廻りの構造を表した斜視図である。
【図６】従来技術に係る窓枠の上枠廻りの拡大縦断面図である。
【符号の説明】
１  引違い窓、２  窓枠、６  フランジ部、７  シールテープ、８  シール材、１１  上枠、１１ｂ  フランジ片、１２  下枠、１３  縦枠、１３ｂ  フランジ片、１５  シーラー、１７  上テープ片、１９  間隙、２１  マーク、２２  注意書きシール、Ａ  開口部、Ｂ  窓枠支持材、Ｃ  外壁材、Ｌ  想定最高水位
【図１】
0003577249.tif 000002
【図２】
0003577249.tif 000003
【図３】
0003577249.tif 000004
【図４】
0003577249.tif 000005
【図５】
0003577249.tif 000006
【図６】
0003577249.tif 000007